(57)【要約】      （修正有）【課題】主に、接着やビス止めなどによらずに、外部から視認できる状態で吊天井を容易に補強できる吊天井の補強構造を提供する。【解決手段】吊ボルト４の下端部に取付けられたフック形状のハンガー部材５によって野縁受６を下側から係止し、野縁受６に上側から係止されたクリップ部材を介して野縁を野縁受６の下部に保持すると共に、野縁の下部に天井面材を取付けた吊天井１に対し、ハンガー部材５と野縁受６との係止部分３１またはその周辺に、係止部分３１の係止状態を拘束可能な、変形性または流動性を有する樹脂被着材３２を被着し、樹脂被着材３２に、係止部分３１またはその周辺に対して自己保持可能な自己保持部３３を形成した状態にして、変形性または流動性を有する樹脂被着材３２を硬化させて成る樹脂製補強具３４を備える。樹脂製補強具３４が、外部から視認可能なものとする。【選択図】図６
2017014819.tif 000002
【特許請求の範囲】
【請求項１】
吊ボルトの下端部に取付けられたフック形状のハンガー部材によって野縁受を下側から係止し、該野縁受に上側から係止されたクリップ部材を介して野縁受の下部に野縁を保持すると共に、該野縁の下部に天井面材を取付けた吊天井に対し、
前記ハンガー部材と前記野縁受との係止部分またはその周辺に、該係止部分の係止状態を拘束可能な、変形性または流動性を有する樹脂被着材を被着し、
該樹脂被着材に、前記係止部分またはその周辺に対して自己保持可能な自己保持部を形成した状態にして、
前記変形性または流動性を有する樹脂被着材を硬化させて成る樹脂製補強具を備え、
該樹脂製補強具が外部から視認可能なものとされたことを特徴とする吊天井の補強構造。
【請求項２】
請求項１に記載の吊天井の補強構造において、
前記樹脂製補強具が、前記ハンガー部材からの前記野縁受の脱落が生じないように拘束可能な拘束部を有することを特徴とする吊天井の補強構造。
【請求項３】
吊ボルトの下端部に取付けられたフック形状のハンガー部材によって野縁受を下側から係止し、該野縁受に上側から係止されたクリップ部材を介して野縁受の下部に野縁を保持すると共に、該野縁の下部に天井面材を取付けた吊天井に対し、
少なくとも、前記クリップ部材と前記野縁受との係止部分またはその周辺に、該係止部分の係止状態を拘束可能な、変形性または流動性を有する樹脂被着材を被着し、
該樹脂被着材に、前記係止部分またはその周辺に対して自己保持可能な自己保持部を形成した状態にして、
前記変形性または流動性を有する樹脂被着材を硬化させて成る樹脂製補強具を備え、
該樹脂製補強具が外部から視認可能なものとされたことを特徴とする吊天井の補強構造。
【請求項４】
請求項３に記載の吊天井の補強構造において、
前記樹脂製補強具が、前記野縁受に対する前記クリップ部材の脱落が生じないように拘束可能な拘束部を有することを特徴とする吊天井の補強構造。
【請求項５】
請求項３または請求項４に記載の吊天井の補強構造において、
前記樹脂製補強具が、前記クリップ部材からの前記野縁の脱落が生じないように拘束可能な拘束部を有することを特徴とする吊天井の補強構造。
【請求項６】
請求項１ないし請求項５のいずれか１項に記載の吊天井の補強構造において、
前記変形性または流動性を有する樹脂被着材が、シート状のものとされたことを特徴とする吊天井の補強構造。
【請求項７】
請求項１ないし請求項５のいずれか１項に記載の吊天井の補強構造において、
前記変形性または流動性を有する樹脂被着材が、紐粘土状のものとされたことを特徴とする吊天井の補強構造。
【請求項８】
吊ボルトの下端部に取付けられたフック形状のハンガー部材によって野縁受を下側から係止し、該野縁受に上側から係止されたクリップ部材を介して野縁受の下部に野縁を保持すると共に、該野縁の下部に天井面材を取付けた吊天井に対し、
前記ハンガー部材と前記野縁受との係止部分またはその周辺に、該係止部分の係止状態を拘束可能な、変形性または流動性を有する樹脂被着材を被着し、
該樹脂被着材に、前記係止部分またはその周辺に対して自己保持可能な自己保持部を形成し、
更に、前記変形性または流動性を有する樹脂被着材を硬化させることで、外部から視認可能な樹脂製補強具を形成することを特徴とする吊天井の補強方法。
【請求項９】
吊ボルトの下端部に取付けられたフック形状のハンガー部材によって野縁受を下側から係止し、該野縁受に上側から係止されたクリップ部材を介して野縁受の下部に野縁を保持すると共に、該野縁の下部に天井面材を取付けた吊天井に対し、
少なくとも、前記クリップ部材と前記野縁受との係止部分またはその周辺に、該係止部分の係止状態を拘束可能な、変形性または流動性を有する樹脂被着材を被着し、
該樹脂被着材に、前記係止部分またはその周辺に対して自己保持可能な自己保持部を形成し、
更に、前記変形性または流動性を有する樹脂被着材を硬化させることで、外部から視認可能な樹脂製補強具を形成することを特徴とする吊天井の補強方法。
【発明の詳細な説明】
【技術分野】
【０００１】
この発明は、吊天井の補強構造および補強方法に関するものである。
【背景技術】
【０００２】
従来より、天井部分を吊天井とした建物が存在している。この吊天井は、吊ボルトの下端部に取付けられたフック形状のハンガー部材によって野縁受を下側から係止し、この野縁受に上側から係止されたクリップ部材を介して野縁受の下部に野縁を保持すると共に、この野縁の下部に天井面材を取付けたものとされる。
【０００３】
このような吊天井は、各部に係止による支持構造が採用されているため、地震などの揺れに対して弱いことが判明しており、しかも、同様の吊天井を有する建物が現在も多数存在していることから、早急に補強（耐震補強）する必要が生じている（例えば、特許文献１参照）。
【０００４】
例えば、特許文献１では、ハンガー部材と野縁受との接触部分、野縁受とクリップ部材との接触部分、クリップ部材と野縁との接触部分、野縁と天井面材との接触部分などの各部位に対して、それぞれ接着剤を注入して接着により補強するようにしている。
【先行技術文献】
【特許文献】
【０００５】
【特許文献１】特開２０１２−１２９１２号公報
【発明の概要】
【発明が解決しようとする課題】
【０００６】
しかしながら、上記特許文献１に記載された吊天井の補強方法には、以下のような様々な問題があった。
【０００７】
即ち、吊天井は、構築された後には、作業員が内部へ立ち入って作業を行うようなことが困難な構造になるので、ハンガー部材と野縁受との接触部分、野縁受とクリップ部材との接触部分、クリップ部材と野縁との接触部分、野縁と天井面材との接触部分などのような細かい部位に対して、接着剤を必要量だけ正確に注入するといったような細かい作業を、丁寧且つ念入りに行うことが難しいという問題があった。
【０００８】
しかも、使用する接着剤は、よほど粘性の低いものにしない限り、表面張力を利用して上記した接触部分に接着剤を十分に浸透させることができないという問題があった。そして、接触部分に十分に浸透されるような粘性の低い接着剤は、現場での取り扱いが難しく、しかも、接着剤の浸透量が不足したような場合には、必要な接着力が得られないという問題があった。
【０００９】
これに対し、現場での取り扱いが比較的容易な粘性の高い接着剤を用いた場合、上記した接触部分に表面張力で接着剤を浸透させることができないため、上記した接触部分の表面側の一部にしか粘性の高い接着剤を塗布することができず、接着面積が小さくなってしまい、必要な接着力が得られないという問題があった。
【００１０】
更に、上記した各接着箇所は、外部から隠れて見えない部位であるため、接着剤による接着が実際に行われたのかどうか、そして、接着された部分の接着力が十分であるかどうかを、外部からの目視だけでは判断できないという問題があった。即ち、見ただけでは補強が行われたのかどうかを確認できないという問題があった。
【００１１】
しかも、建物が施工されてから長期間が経過しているような場合、吊天井の天井裏には相当量のホコリが溜まっているので、ホコリを完全に取り除いてからでないと、接着剤による接着ができないという問題があった。或いは、ホコリを取り除かずに接着剤を塗布しても、必要な接着力が得られないという問題があった。
【００１２】
そこで、本発明は、上記した問題点を解決することを、主な目的としている。
【課題を解決するための手段】
【００１３】
上記課題を解決するために、本発明は、
吊ボルトの下端部に取付けられたフック形状のハンガー部材によって野縁受を下側から係止し、該野縁受に上側から係止されたクリップ部材を介して野縁受の下部に野縁を保持すると共に、該野縁の下部に天井面材を取付けた吊天井に対し、
前記ハンガー部材と前記野縁受との係止部分またはその周辺に、該係止部分の係止状態を拘束可能な、変形性または流動性を有する樹脂被着材を被着し、
該樹脂被着材に、前記係止部分またはその周辺に対して自己保持可能な自己保持部を形成した状態にして、
前記変形性または流動性を有する樹脂被着材を硬化させて成る樹脂製補強具を備え、
該樹脂製補強具が、外部から視認可能なものとされたことを特徴としている。
【発明の効果】
【００１４】
本発明によれば、上記構成によって、接着やビス止めなどによらずに、外部から視認できる状態で吊天井を容易に補強することができる。
【図面の簡単な説明】
【００１５】
【図１】吊天井を有する既存の建物の縦断面図である。
【図２】図１の斜視図である。
【図３】ハンガー部材と野縁受との係止部分にノズルを用いて樹脂被着材を盛った状態を示す斜視図である。
【図４】ハンガー部材と野縁受との係止部分に被着するためのシート状の樹脂被着材の展開図である。
【図５】ハンガー部材と野縁受との係止部分にシート状の樹脂被着材を被着する途中の状況を示す斜視図である。
【図６】ハンガー部材と野縁受との係止部分にシート状の樹脂被着材を被着した後の状況を示す斜視図である。
【図７】図６を背面側から見た斜視図である。
【図８】ハンガー部材と野縁受との係止部分に紐粘土状の樹脂被着材を被着した後の状況を示す斜視図である。
【図９】クリップ部材と野縁受との係止部分にノズルを用いて樹脂被着材を盛った状態を示す斜視図である。
【図１０】クリップ部材と野縁受との係止部分に被着するためのシート状の樹脂被着材の展開図である。
【図１１】クリップ部材と野縁受との係止部分にシート状の樹脂被着材を被着する途中の状況を示す斜視図である。
【図１２】クリップ部材と野縁受との係止部分にシート状の樹脂被着材を被着した後の状況を示す斜視図である。
【図１３】図１２を背面側から見た斜視図である。
【図１４】クリップ部材と野縁受との係止部分に紐粘土状の樹脂被着材を被着した後の状況を示す斜視図である。
【図１５】図１４を背面側から見た斜視図である。
【発明を実施するための形態】
【００１６】
以下、本実施の形態を、図面を用いて詳細に説明する。
図１〜図１５は、この実施の形態を説明するためのものである。このうち、図１、図２は、各実施例に共通のもの、図３〜図８は実施例１、図９〜図１５は実施例２に関するものである。
【実施例１】
【００１７】
＜構成＞以下、構成について説明する。
【００１８】
図１は、吊天井１を有する既存の建物２を示すものであり、図２はその斜視図である。
ここで、吊天井１は、平成２５年国土交通省告示第７７１号において地震時の振動で脱落する可能性があるとされている特定天井を主な対象としており、具体的には、床面からの高さが６ｍより高く、かつ、水平投影面積が２００ｍ２より大きく、かつ、単位面積あたりの質量が２ｋｇ／ｍ２より大きいであるものが挙げられる。
【００１９】
この吊天井１は、建物２の天井部分３（例えば、鉄筋コンクリート製の階層間隔壁）から下方へ向けて垂設された（金属製の）吊ボルト４の下端部に取付けられたフック形状のハンガー部材５によって野縁受６を下側から係止し、この野縁受６に上側から係止されたクリップ部材７を介して野縁受６の下部に野縁８を保持すると共に、この野縁８の下部に天井面材９を取付けたものとされる。なお、必要に応じて、補強用のブレース材１０などを設けるようにしても良い（図１）。
【００２０】
ここで、野縁受６と野縁８とは、互いに直交する方向へ向けてそれぞれ複数本平行に配設されることで、井桁状の天井枠構造を構成している。そして、上記した吊ボルト４およびハンガー部材５は、野縁受６における、隣接する野縁８間の位置などに適宜設置される。また、上記したクリップ部材７は、野縁受６と野縁８との交差部分に適宜設置される。
【００２１】
より具体的には、ハンガー部材５は、吊ボルト４の下端部に対するほぼ水平な取付部１１と、この取付部１１から下方へ延びる下行部１２と、この下行部１２の下端部から横方向へ延びる底面受部１３と、この底面受部１３の先端側から上方へ立ち上がる上向引掛部１４と、を有する側面視ほぼＪ字型（またはほぼＵ字型）の金属板とされている。ハンガー部材５における、底面受部１３の上側には、野縁受６を（上方から）挿入して係止させるための係止用挿入部１５（開放部）が形成される。
【００２２】
野縁受６は、縦向きのウエブ部６ａと、上下一対の横向きのフランジ部６ｂ，６ｃと、を有する横向きの溝型断面を有する長尺金属材とされる。なお、野縁受６の溝部の向きについては、どちら側にしても良い。
【００２３】
そして、ハンガー部材５の下行部１２および底面受部１３は、それぞれ、野縁受６のウエブ部６ａの高さおよび下側のフランジ部６ｃの幅とほぼ同じ長さとされて、これらに面接触状態で当接されている。また、ハンガー部材５の上向引掛部１４は、上端側に野縁受６の高さよりも長く延びる延長部１４ａを有して、野縁受６の上下のフランジ部６ｂ，６ｃの端縁部に線接触状態で当接されている。
【００２４】
一方、クリップ部材７は、下向引掛部１６と、この下向引掛部１６の基部から横方向へ延びる上面受部１７と、この上面受部１７から下方へ延びる下行部１８と、を有する側面視ほぼ逆Ｊ字型の金属板とされている。クリップ部材７における、上面受部１７の下側には、野縁受６に対して（上方から）装着して係止させるための係止用装着部１９（開放部）が形成される。
【００２５】
そして、クリップ部材７の下向引掛部１６は、野縁受６の高さよりも短く形成されて、野縁受６の上側のフランジ部６ｂの端縁部に線接触状態で当接されるか、或いは、野縁受６のウエブ部６ａの上側に面接触状態で当接される。また、クリップ部材７の上面受部１７は、野縁受６の上側のフランジ部６ｂの幅とほぼ同じ長さとされて、その上側に面接触状態で当接される。クリップ部材７の下行部１８は、野縁受６の高さよりも長く形成されて、野縁受６のウエブ部６ａに面接触状態で当接されるか、或いは、野縁受６の上下のフランジ部６ｂの端縁部に線接触状態で当接される。
【００２６】
クリップ部材７には、更に、下行部１８の野縁受６よりも下方へ延びる下端部の両側位置に、野縁８の内部へ挿入されて野縁８の両側部を下側から係止するための係止用張出部２１が突設される。
【００２７】
野縁８は、横向きのウエブ部８ａと、左右一対の縦向きのフランジ部８ｂと、各フランジ部８ｂの上端部から内側へ向けて斜め下向きまたはほぼ水平などに延びる一対の短いリップ部８ｃと、を有するほぼ上向きＣ字断面の長尺金属材とされる。野縁８の上面側には、クリップ部材７（の下行部１８）の下方へ延びた下端部を収容して係止用張出部２１をリップ部８ｃの下面側に係止させる係止用収容部２５（開放部）が形成される。
【００２８】
天井面材９には、例えば、石膏ボードなどの内装用パネル材が使用される。なお、以上の説明は、以下の各実施例に共通である。
【００２９】
そして、以上のような基本的または全体的な構成に対し、この実施例は、以下のような構成を備えている。
【００３０】
（１−１）例えば、図３に示すように、上記ハンガー部材５と上記野縁受６との係止部分３１またはその周辺に、この係止部分３１の係止状態を拘束可能な、変形性または流動性を有する樹脂被着材３２（第一の樹脂被着材）を被着し、
この樹脂被着材３２に、上記係止部分３１またはその周辺に対して自己保持可能な自己保持部３３（第一の自己保持部）を形成した状態にして、
上記変形性または流動性を有する樹脂被着材３２を硬化させて成る樹脂製補強具３４を備える。
そして、この樹脂製補強具３４が、外部から視認可能なものとされる。
【００３１】
ここで、樹脂被着材３２は、施工時には変形性または流動性があり、意図した部分に意図した通りに配した後に硬化させ得るものとされる。樹脂被着材３２は、硬化によって完全に硬質化してしまう素材だと地震による振動時に振動のエネルギーによって破損するおそれがあるので、硬化後もある程度の弾性を有して振動のエネルギーの少なくとも一部を吸収できるようなものとしても良い。
【００３２】
樹脂被着材３２は、透明でも半透明でも不透明でも良いが、外部から視認し易いものとするためには、不透明にするのが好ましい。一方、後述する光硬化性樹脂を使用する場合には紫外線を透過させるために透明にするのが好ましい。樹脂被着材３２を不透明とする場合には、暗い天井内において外部から視認し易くするため、少なくとも一部を有色（特に、白色等の明色や、蛍光色）とするのが好ましい。
【００３３】
樹脂被着材３２に使用できる樹脂被着材３２の種類としては、熱可塑性樹脂がある。熱可塑性樹脂は、意図した部分に配する時には加熱し軟化または溶融させて変形性または流動性を持たせ、また、配した後は自然冷却もしくは送風などによって冷却することで、上記部分に固着させることができる。
【００３４】
具体的な熱可塑性樹脂としては、オレフィン系樹脂やポリエステル樹脂、ポリウレタン系樹脂、ポリ塩化ビニル樹脂、アクリル樹脂など一般的な樹脂被着材３２を用いることができる。
【００３５】
或いは、樹脂被着材３２として、反応硬化性樹脂も好適に使用することができる。
【００３６】
反応性樹脂には、熱硬化性樹脂や光硬化性樹脂、湿気による硬化性樹脂、多成分を混合することによる反応硬化性樹脂、など一般的な反応性樹脂を用いることができる。
【００３７】
このうち、熱硬化性樹脂には、尿素樹脂、不飽和ポリエステル樹脂などがある。
【００３８】
また、光硬化性樹脂には、エポキシ樹脂や不飽和ポリエステル樹脂などがある。
【００３９】
そして、湿気硬化樹脂には、ウレタン系樹脂がある。
【００４０】
更に、多成分を混合することによる反応硬化性樹脂には、エポキシ系樹脂、ウレタン系樹脂などがある。なお、熱硬化性樹脂でなくても、加熱によって硬化反応を促進することも可能である。また、溶剤を揮発させることで硬化する樹脂被着材３２を用いることができる。
【００４１】
反応硬化性樹脂は、配した後に、加熱、光照射、加湿、乾燥、放置などによって硬化させることができる。硬化時間は特に限定しないが、２４時間以内に硬化するものを用いるのが好適である。
【００４２】
加えて、硬化と共に発泡する樹脂被着材３２を用いることができる。この樹脂被着材３２は、連結部に配した後、発泡によってより広域に連結部を覆うことで、より確実な固定が可能となる。
【００４３】
上記した自己保持部３３は、樹脂被着材３２を硬化させた時に、接着力などに頼らずに、自己の形状によって、樹脂被着材３２をハンガー部材５または野縁受６の少なくとも一方に対して係止または保持させるものとされる。但し、自己保持部３３は、補助的に接着力を利用しても良い。
外部から視認可能とは、ハンガー部材５から離れた位置から見えることである。
【００４４】
（１−２）そして、上記樹脂製補強具３４が、上記ハンガー部材５からの上記野縁受６の脱落が生じないように拘束可能な拘束部３６（第一の拘束部）を有するものとされる。
【００４５】
ここで、拘束部３６は、例えば、ハンガー部材５の係止用挿入部１５を塞ぐようなものとされる。または、拘束部３６は、例えば、ハンガー部材５と野縁受６とを同時に押えるようなものとされる。或いは、ハンガー部材５の係止用挿入部１５を塞ぐと共に、ハンガー部材５と野縁受６とを同時に押えるようなものとされる。
【００４６】
なお、樹脂被着材３２は、ペースト状やゲル状などにしたものを、図３に示すように、ノズル３９などからハンガー部材５や野縁受６へ向けて直接吐出するようにしたり、または、ヘラなどでハンガー部材５や野縁受６へ直接塗り付けるようにしたりして使用することなどができるが、これに限定するものではなく、好ましくは、以下のようにする。
【００４７】
（１−３）例えば、図４〜図７に示すように、上記変形性または流動性を有する樹脂被着材３２は、シート状のものとしても良い（シート状樹脂被着材４１）。
ここで、シート状樹脂被着材４１は、合成樹脂製の基材シートに、熱硬化性樹脂や光硬化性樹脂等のような野縁受６に接着させるための樹脂層を積層したものなどとすることができる。基材シートとしてはガラス繊維やポリエステル繊維、カーボン繊維等で補強した合成樹脂シートを用いるのが好ましく、野縁受６に接着させるための樹脂層もガラス繊維やポリエステル繊維、カーボン繊維等の繊維に含浸させたものとするのが好ましい。野縁受６に接着させるための樹脂層として光硬化性樹脂を使用する場合、紫外線を透過させるため基材シートは透明であることが好ましい。
【００４８】
シート状の樹脂被着材３２（シート状樹脂被着材４１）は、ハンガー部材５や野縁受６に外側から被せるように取付けて、曲げたり折ったりするようにして変形させ、対象物を包んだり対象物に巻き付けたりすることで、自由に拘束部３６（図６、図７参照）などを作ることができるようなものとされる。拘束部３６は、引掛形状や周回形状や重ね合わせ形状などとすることができる。シート状の樹脂被着材３２には、所要の形状にカッティングしたものや、細長くしてテープ状（または帯状）にしたものなどが含まれる。
【００４９】
より具体的には、シート状の樹脂被着材３２は、ハンガー部材５に対して一周またはそれ以上巻き付けて重ね合わせが可能な長さ寸法を有すると共に、ハンガー部材５よりも広幅とされ、その一端縁部または両端縁部にハンガー部材５との干渉を防止するための切欠部４２，４３を有する（基本形状が）ほぼ長方形状のものなどとすることができる。このようにすることにより、シート状の樹脂被着材３２を最もシンプルな形状にすることができる。
【００５０】
この場合には、シート状の樹脂被着材３２は、切欠部４２，４３の両端に上側引掛部４４および重複部４５をそれぞれ有するものとされている。また、シート状の樹脂被着材３２には、ハンガー部材５の上向引掛部１４を通すための切込部４６などを形成しても良い。また、シート状の樹脂被着材３２は、ハンガー部材５の屈曲方向とは反対廻りに取付けるようにするのが、補強効果を高める上で好ましい。そして、主に、シート状樹脂被着材４１の幅両側部（の野縁受６を周回して重複している部分など）が自己保持部３３となり、シート状樹脂被着材４１の幅中央部（の係止用挿入部１５を覆っている部分）が拘束部３６となる。但し、自己保持部３３と拘束部３６とは、明確には区別できないものとなっている。
【００５１】
（１−４）または、図８に示すように、上記変形性または流動性を有する樹脂被着材３２は、紐粘土状（ひもねんどじょう）のものとしても良い（紐粘土状樹脂被着材５１）。
【００５２】
ここで、紐粘土は、例えば、陶芸などの分野で、ろくろを使用しない場合などに、細長く延ばした粘土を巻き重ねながら作品の形状を作って行く技法などで使われる材料のことである。
【００５３】
紐粘土状の樹脂被着材３２（紐粘土状樹脂被着材５１）は、ハンガー部材５や野縁受６の各部に適宜巻き付けるなどし、更に、必要な場合には、曲げたり折ったり捻ったり潰したり丸めたりするように変形させることで、自由に拘束部３６などを作ることができるようなものとされる。拘束部３６は、引掛形状や周回形状や重ね合わせ形状などとすることができる。
【００５４】
より具体的には、紐粘土状の樹脂被着材３２を、吊ボルト４とほぼ同径の丸型断面や角型断面のものなどとする。そして、この紐粘土状の樹脂被着材３２を、ハンガー部材５や野縁受６に対して、適宜巻き付けるようにして取付ける。この場合には、ハンガー部材５の下行部１２の上端部を始点および終点にして、たすき掛けをするようにハンガー部材５と野縁受６との間に巻き付けている。
【００５５】
なお、ハンガー部材５や野縁受６に対する紐粘土状樹脂被着材５１の巻き付け方や巻き付け方向などについてはこれに限るものではない。また、ハンガー部材５や野縁受６の各部に対する紐粘土状樹脂被着材５１の周回数については、１周以上とするのが好ましいが、適宜増やしたり減らしたりすることができる。また、紐粘土状樹脂被着材５１の太さは、ハンガー部材５や野縁受６に対する巻き付け方や周回数などによって適宜太くしたり細くしたりすることができる。
【００５６】
（１−５）以下、吊天井１の補強方法について説明する。
吊ボルト４の下端部に取付けられたフック形状のハンガー部材５によって野縁受６を下側から係止し、この野縁受６に上側から係止されたクリップ部材７を介して野縁８を野縁受６の下部に保持すると共に、この野縁８の下部に天井面材９を取付けた（既設の）吊天井１に対し、
上記ハンガー部材５と上記野縁受６との係止部分３１またはその周辺に、この係止部分３１の係止状態を拘束可能な、変形性または流動性を有する樹脂被着材３２を被着し、
この樹脂被着材３２に、上記係止部分３１またはその周辺に対して自己保持可能な自己保持部３３を形成する。
そして、上記変形性または流動性を有する樹脂被着材３２を硬化させることで、外部から視認可能な樹脂製補強具３４を形成する。
【００５７】
この際、上記したように、樹脂被着材３２として、ペースト状やゲル状などにした樹脂被着材３２を、図３に示すように、ノズル３９などからハンガー部材５や野縁受６へ向けて直接吐出するようにしたり、または、ヘラなどでハンガー部材５や野縁受６へ直接塗り付けたりするようにしても良い。
【００５８】
または、図４〜図７に示すように、シート状の樹脂被着材３２（シート状樹脂被着材４１）でハンガー部材５や野縁受６を周回させるように包んでも良い。
【００５９】
或いは、図８に示すように、紐粘土状の樹脂被着材３２（紐粘土状樹脂被着材５１）を、ハンガー部材５や野縁受６に巻き付けるようにして取付けても良い。
【００６０】
＜作用効果＞この実施例によれば、以下のような作用効果を得ることができる。
【００６１】
（作用効果１−１）
吊天井１は、吊ボルト４の下端部に取付けられたフック形状のハンガー部材５によって野縁受６を下側から係止し、この野縁受６に上側から係止されたクリップ部材７を介して野縁受６の下部に野縁８を保持すると共に、この野縁８の下部に天井面材９を取付けた構造とされている。即ち、各部に係止（引っ掛け）による支持構造を採用している。
【００６２】
そのため、地震などの揺れによって、ハンガー部材５から野縁受６が脱落したり位置ズレを起こしたりするおそれがある。
【００６３】
そこで、ハンガー部材５と野縁受６との係止部分３１またはその周辺に、この係止部分３１の係止状態を拘束可能な、変形性または流動性を有する樹脂被着材３２を被着した。そして、この樹脂被着材３２に、上記係止部分３１またはその周辺に対して自己保持可能な自己保持部３３を形成した。更に、この状態で、上記変形性または流動性を有する樹脂被着材３２を硬化させて、外部から視認可能な樹脂製補強具３４を形成した。これにより、係止部分３１またはその周辺に樹脂被着材３２を被着するなどの簡単な構成で、ハンガー部材５から野縁受６が脱落したり位置ズレを起こしたりするのを防止して、確実に耐震性を向上することができる。
【００６４】
しかも、係止部分３１またはその周辺に対して変形性または流動性を有する樹脂被着材３２を被着する作業は、それほど細かい作業ではないので、構造的に作業員が内部へ立ち入って作業を行うようなことが困難な既設の吊天井１に対して遠隔で作業を行っても、十分な作業性を確保することができ、また、比較的短時間のうちに係止部分３１またはその周辺を意図した通りに補強することができる。なお、上記した補強作業は、吊天井１に形成された点検口を利用して行ったり、天井面材９の一部を取り外して行ったりすることができる。
【００６５】
また、係止部分３１またはその周辺に変形性または流動性を有する樹脂被着材３２を被着し自己保持部３３を形成して硬化させるだけで樹脂被着材３２が自己保持されるので、ハンガー部材５や野縁受６などに対して接着やネジ止めなどのような手間の掛かる固定作業を行う必要がなく、ハンガー部材５や野縁受６に対する接着力や締結力などが問題になることはない。よって、吊天井１の天井裏にホコリなどが溜まっていても、ホコリなどを取り除かずにそのまま直接施工して、樹脂製補強具３４を自己保持部３３の自己保持力によって係止部分３１またはその周辺に保持させて係止部分３１を拘束させることができる。
【００６６】
更に、係止部分３１に設置された樹脂製補強具３４は、外部から視認可能であるため、補強が確実に行われたことの確認や、補強の仕上がり状態の確認などを外部からの目視で行うことができるようになる。よって、施工し忘れがない。
【００６７】
（作用効果１−２）
樹脂製補強具３４に（第一の）拘束部３６を設けた。これにより、ハンガー部材５からの野縁受６の脱落が生じないように、確実にハンガー部材５と野縁受６とを拘束部３６で拘束することができる。
【００６８】
（作用効果１−３）
変形性または流動性を有する樹脂被着材３２を、シート状のもの（シート状樹脂被着材４１）とした。これにより、シート状の樹脂被着材３２を、係止部分３１またはその周辺に被着し、更に、曲げたり折ったりするように変形させて、対象物を包んだり対象物に巻き付けたりすることで、自由に自己保持部３３や拘束部３６を作ることができるので、簡単に脱落防止や位置ズレ防止などのための補強構造を得ることができる。また、シート状の樹脂被着材３２は、折り曲げたり切り込みを入れたりして自在に使用することができるため、汎用性が高く取り扱いが容易である。
なお、この実施例の場合、シート状の樹脂被着材３２は、切込部４６をハンガー部材５の上向引掛部１４に通すようにしてから取付けるようにすると、より容易且つ正確に取付けることが可能となる。
【００６９】
（作用効果１−４）
変形性または流動性を有する樹脂被着材３２を、紐粘土状のもの（紐粘土状樹脂被着材５１）とした。これにより、紐粘土状の樹脂被着材３２を、係止部分３１またはその周辺に被着し、更に、曲げたり折ったり捻ったり潰したり丸めたりするように変形させることで、自由に自己保持部３３や拘束部３６を作ることができるので、簡単に脱落防止や位置ズレ防止などのための補強構造を得ることができる。また、紐粘土状の樹脂被着材３２は、形状自由度が高いため、汎用性が高く取り扱いが容易である。
【実施例２】
【００７０】
図９〜図１５はこの実施例を示すものである。なお、上記した実施例１と同様の部分については、実施例１の記載を以ってこの実施例の説明とする。
【００７１】
＜構成＞以下、構成について説明する。
【００７２】
（２−１）例えば、図９に示すように、上記した吊天井１に対し、
少なくとも、上記クリップ部材７と上記野縁受６との係止部分６１またはその周辺に、この係止部分６１の係止状態を拘束可能な、変形性または流動性を有する樹脂被着材６２（第二の樹脂被着材）を被着し、
この樹脂被着材６２に、上記係止部分６１またはその周辺に対して自己保持可能な自己保持部６３（第二の自己保持部）を形成した状態にして、
上記変形性または流動性を有する樹脂被着材６２を硬化させて成る樹脂製補強具６４を備える。
そして、この樹脂製補強具６４が、外部から視認可能なものとされる。
【００７３】
ここで、樹脂被着材６２については、上記実施例の樹脂被着材３２（第一の樹脂被着材）と同じものを使用することができる。
【００７４】
また、自己保持部６３は、樹脂被着材６２を硬化させた時に、接着力などに頼らずに、自己の形状によって、樹脂被着材６２をクリップ部材７または野縁受６の少なくとも一方に対して係止または保持させるものとされる。但し、自己保持部６３は、補助的に接着力を利用しても良い。外部から視認可能とは、クリップ部材７から離れた位置から見えることである。
【００７５】
（２−２）そして、上記樹脂製補強具６４が、上記野縁受６に対する上記クリップ部材７の脱落が生じないように拘束可能な拘束部６６（第二の拘束部）を有するものとされる。
【００７６】
ここで、拘束部６６は、例えば、クリップ部材７の係止用装着部１９を塞ぐようなものとされる。または、拘束部６６は、例えば、クリップ部材７と野縁受６とを同時に押えるようなものとされる。或いは、クリップ部材７の係止用装着部１９を塞ぐと共に、クリップ部材７と野縁受６とを同時に押えるようなものとされる。
【００７７】
（２−３）また、上記樹脂製補強具６４は、上記クリップ部材７からの上記野縁８の脱落が生じないように拘束可能な拘束部６８（第三の拘束部）を有しても良い。
【００７８】
ここで、拘束部６８は、例えば、野縁８の係止用収容部２５を塞いで係止用収容部２５からクリップ部材７の下行部１８（の係止用張出部２１）を抜けなくするようなものとされる。または、拘束部６８は、例えば、クリップ部材７と野縁８とを同時に押えるようなものとされる。或いは、野縁８の係止用収容部２５を塞ぐと共に、クリップ部材７と野縁８とを同時に押えるようなものとされる。
【００７９】
なお、樹脂被着材６２は、ペースト状やゲル状などにしたものを、図９に示すように、ノズル３９などからクリップ部材７や野縁受６へ向けて直接吐出するようにしたり、または、ヘラなどでクリップ部材７や野縁受６へ直接塗り付けるようにしたりして使用することなどができるが、これに限定するものではなく、好ましくは、以下のようにする。
【００８０】
（２−４）例えば、図１０〜図１３に示すように、上記変形性または流動性を有する樹脂被着材６２は、シート状のものとしても良い（シート状樹脂被着材７１）。
【００８１】
ここで、シート状の樹脂被着材６２（第二のシート状樹脂被着材７１）は、クリップ部材７や野縁受６に外側から被せるように取付け、曲げたり折ったりするように変形させて、対象物を包んだり対象物に巻き付けたりすることで、自由に拘束部６６などを作ることができるようなものとされる。拘束部６６は、引掛形状や周回形状や重ね合わせ形状などとすることができる。シート状の樹脂被着材６２には、所要の形状にカッティングしたものや、細長くしてテープ状（または帯状）にしたものなどが含まれる。
【００８２】
より具体的には、シート状の樹脂被着材６２は、クリップ部材７に対して一周またはそれ以上巻き付けて重ね合わせが可能な長さ寸法を有すると共に、クリップ部材７よりも広幅とされ、その一端縁部または両端縁部にクリップ部材７との干渉を防止するための切欠部７２を有する（基本形状が）ほぼ長方形状のものなどとすることができる。このようにすることにより、シート状の樹脂被着材６２を最もシンプルな形状にすることができる。
【００８３】
この場合には、シート状の樹脂被着材６２は、切欠部７２の両端に上側引掛部７４および重複部７５をそれぞれ有するものとされている。なお、シート状の樹脂被着材６２は、クリップ部材７の屈曲方向とは反対廻りに取付けるようにするのが、補強効果を高める上で好ましい。そして、主に、シート状樹脂被着材７１の幅両側部（の野縁受６を周回して重複している部分など）が自己保持部３３となり、シート状樹脂被着材７１の幅中央部（の係止用装着部１９を覆っている部分）が拘束部３６となる。但し、自己保持部６３と拘束部６６とは、明確には区別できないものとなっている。
【００８４】
更に、切欠部７２の位置に、野縁８に対する拘束部６８として、野縁８の内部へ挿入係止可能な挿入片７６を形成するようにしても良い。この挿入片７６は、係止用収容部２５の間隔よりも幅広とされると共に、その基部が野縁８のリップ部８ｃに係止され易くなるように、内側へ向けて僅かに切り込まれている（内側切込部７７）。
【００８５】
（２−５）または、図１４、図１５に示すように、上記変形性または流動性を有する樹脂被着材６２は、紐粘土状のものとしても良い（紐粘土状樹脂被着材８１）。
【００８６】
ここで、紐粘土は、例えば、陶芸などの分野で、ろくろを使用しない場合などに、細長く延ばした粘土を巻き重ねながら作品の形状を作って行く技法などで使われる材料のことである。
【００８７】
紐粘土状の樹脂被着材６２（第二の紐粘土状樹脂被着材８１）は、クリップ部材７や野縁受６の各部に適宜巻き付けるなどし、更に、必要な場合には、曲げたり折ったり捻ったり潰したり丸めたりするように変形させることで、自由に拘束部６６などを作ることができるようなものとされる。拘束部６６は、引掛形状や周回形状や重ね合わせ形状などとすることができる。
【００８８】
より具体的には、紐粘土状の樹脂被着材６２を、吊ボルト４とほぼ同径の丸型断面や角型断面のものなどとする。そして、この紐粘土状の樹脂被着材６２を、クリップ部材７や野縁受６に対して、適宜巻き付けるようにして取付ける。この場合には、野縁受６の上側のフランジ部６ｂを始点および終点にして、たすき掛けをするようにクリップ部材７と野縁受６との間に巻き付けている。
【００８９】
なお、クリップ部材７や野縁受６の各部に対する紐粘土状樹脂被着材８１の巻き付け方や巻き付け方向などについてはこれに限るものではない。また、クリップ部材７や野縁受６の各部に対する紐粘土状樹脂被着材８１の周回数については、１周以上とするのが好ましいが、適宜増やしたり減らしたりすることができる。また、紐粘土状樹脂被着材８１の太さは、クリップ部材７や野縁受６に対する巻き付け方や周回数などによって適宜太くしたり細くしたりすることができる。
【００９０】
（２−６）以下、吊天井１の補強方法について説明する。
吊ボルト４の下端部に取付けられたフック形状のハンガー部材５によって野縁受６を下側から係止し、この野縁受６に上側から係止されたクリップ部材７を介して野縁８を野縁受６の下部に保持すると共に、この野縁８の下部に天井面材９を取付けた（既設の）吊天井１に対し、
少なくとも、上記クリップ部材７と上記野縁受６との係止部分６１またはその周辺に、この係止部分６１の係止状態を拘束可能な、変形性または流動性を有する樹脂被着材６２を被着し、
この樹脂被着材６２に、上記係止部分６１またはその周辺に対して自己保持可能な自己保持部６３を形成する。
そして、上記変形性または流動性を有する樹脂被着材６２を硬化させることで、外部から視認可能な樹脂製補強具６４を形成する。
【００９１】
この際、上記したように、樹脂被着材６２として、ペースト状やゲル状などにした樹脂被着材６２を、図９に示すように、ノズル３９などからクリップ部材７や野縁受６へ向けて直接吐出するようにしたり、または、ヘラなどでクリップ部材７や野縁受６へ直接塗り付けたりするようにしても良い。
【００９２】
または、図１０〜図１３に示すように、シート状の樹脂被着材６２（シート状樹脂被着材７１）でクリップ部材７や野縁受６を周回させるように包んでも良い。
【００９３】
或いは、図１４、図１５に示すように、紐粘土状の樹脂被着材６２（紐粘土状樹脂被着材８１）を、クリップ部材７や野縁受６に巻き付けるようにして取付けても良い。
【００９４】
＜作用効果＞この実施例によれば、以下のような作用効果を得ることができる。
【００９５】
（作用効果２−１）
地震などの揺れによって、野縁受６からクリップ部材７が脱落したり位置ズレを起こしたりするおそれや、クリップ部材７から野縁８が脱落したり位置ズレを起こしたりするおそれがある。
【００９６】
そこで、野縁受６とクリップ部材７との係止部分６１またはその周辺に、この係止部分６１の係止状態を拘束可能な、変形性または流動性を有する樹脂被着材６２を被着した。そして、この樹脂被着材６２に、上記係止部分６１またはその周辺に対して自己保持可能な自己保持部６３を形成した。更に、この状態で、上記変形性または流動性を有する樹脂被着材６２を硬化させて、外部から視認可能な樹脂製補強具６４を形成した。これにより、係止部分６１またはその周辺に樹脂被着材６２を被着するなどの簡単な構成で、野縁受６からクリップ部材７が脱落したり位置ズレを起こしたりするのを防止して、確実に耐震性を向上することができる。
【００９７】
しかも、係止部分６１またはその周辺に対して変形性または流動性を有する樹脂被着材６２を被着する作業は、それほど細かい作業ではないので、構造的に作業員が内部へ立ち入って作業を行うようなことが困難な既設の吊天井１に対して遠隔で作業を行っても、十分な作業性を確保することができ、また、比較的短時間のうちに係止部分６１またはその周辺を意図した通りに補強することができる。なお、上記した補強作業は、吊天井１に形成された点検口を利用して行ったり、天井面材９の一部を取り外して行ったりすることができる。
【００９８】
また、係止部分６１またはその周辺に変形性または流動性を有する樹脂被着材６２を被着し自己保持部６３を形成して硬化させるだけで樹脂被着材６２が自己保持されるので、クリップ部材７や野縁受６などに対して接着やネジ止めなどのような手間のかかる固定作業を行う必要がなく、クリップ部材７や野縁受６に対する接着力や締結力などが問題になることはない。よって、吊天井１の天井裏はホコリなどが溜まっていても、ホコリなどを取り除かずにそのまま直接施工して、樹脂製補強具６４を自己保持部６３の自己保持力によって係止部分６１またはその周辺に保持させて係止部分６１を拘束させることができる。
【００９９】
更に、係止部分６１に設置された樹脂製補強具６４は、外部から視認可能であるため、補強が確実に行われたことの確認や、補強の仕上がり状態の確認などを外部からの目視で行うことができるようになる。よって、施工し忘れがない。
【０１００】
（作用効果２−２）
樹脂製補強具６４に（第二の）拘束部６６を設けた。これにより、野縁受６からのクリップ部材７の脱落が生じないように、確実に野縁受６とクリップ部材７とを拘束部６６で拘束することができる。
【０１０１】
（作用効果２−３）
樹脂製補強具６４に（第三の）拘束部６８を設けた。これにより、クリップ部材７からの野縁８の脱落が生じないように、確実にクリップ部材７との野縁８とを拘束部６８で拘束することができる。
【０１０２】
（作用効果２−４）
変形性または流動性を有する樹脂被着材６２を、シート状のもの（シート状樹脂被着材７１）とした。これにより、シート状の樹脂被着材６２を、係止部分６１またはその周辺に被着し、更に、曲げたり折ったりするようにして変形させ、対象物を包んだり対象物に巻き付けたりすることで、自由に自己保持部６３や拘束部６６を作ることができるので、簡単に脱落防止や位置ズレ防止などのための補強構造を得ることができる。また、シート状の樹脂被着材６２は、折り曲げたり切り込みを入れたりして自在に使用することができるため、汎用性が高く取り扱いが容易である。
【０１０３】
（作用効果２−５）
変形性または流動性を有する樹脂被着材６２を、紐粘土状のもの（紐粘土状樹脂被着材８１）とした。これにより、紐粘土状の樹脂被着材６２を、係止部分６１またはその周辺に被着し、更に、曲げたり折ったり捻ったり潰したり丸めたりするように変形させることで、自由に自己保持部６３や拘束部６６を作ることができるので、簡単に脱落防止や位置ズレ防止などのための補強構造を得ることができる。また、紐粘土状の樹脂被着材６２は、形状自由度が高いため、汎用性が高く取り扱いが容易である。
【０１０４】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【０１０５】
１    吊天井
２    建物
３    天井部分
４    吊ボルト
５    ハンガー部材
６    野縁受
７    クリップ部材
８    野縁
９    天井面材
３１  係止部分
３２  樹脂被着材
３３  自己保持部
３４  樹脂製補強具
３６  拘束部
４１  シート状樹脂被着材
５１  紐粘土状樹脂被着材
６１  係止部分
６２  樹脂被着材
６３  自己保持部
６４  樹脂製補強具
６６  拘束部
６８  拘束部
７１  シート状樹脂被着材
８１  紐粘土状樹脂被着材
【図１】
2017014819.tif 000003
【図２】
2017014819.tif 000004
【図３】
2017014819.tif 000005
【図４】
2017014819.tif 000006
【図５】
2017014819.tif 000007
【図６】
2017014819.tif 000008
【図７】
2017014819.tif 000009
【図８】
2017014819.tif 000010
【図９】
2017014819.tif 000011
【図１０】
2017014819.tif 000012
【図１１】
2017014819.tif 000013
【図１２】
2017014819.tif 000014
【図１３】
2017014819.tif 000015
【図１４】
2017014819.tif 000016
【図１５】
2017014819.tif 000017